【手続補正書】
【提出日】平成30年10月11日(2018.10.11)
【手続補正１】
【補正対象書類名】特許請求の範囲
【補正対象項目名】全文
【補正方法】変更
【補正の内容】
【特許請求の範囲】
【請求項１】
冷却システムであって、
空気入口および空気出口を有するキャビネットと、
キャビネット内に配置される空気移動ユニットと、
第１および第２の冷却回路と、
冷却回路を含む冷却システムを動作させるように構成されるコントローラとを備え、
第１の冷却回路は、上流蒸発器コイルおよび下流蒸発器コイル、凝縮器、圧縮機、レシーバタンク、液体ポンプ、液体ポンプバイパス弁が開いている場合に液体ポンプをバイパスする液体ポンプバイパス弁、圧縮機バイパス弁が開いている場合に圧縮機をバイパスする圧縮機バイパス弁、液体ポンプと上流蒸発器コイルとの間に連結される制御弁、ならびに、液体ポンプバイパス弁と下流蒸発器コイルとの間に連結される膨張装置を有し、
第２の冷却回路は、蒸発器コイル、凝縮器、圧縮機、および液体ポンプ、液体ポンプバイパス弁が開いている場合に液体ポンプをバイパスする液体ポンプバイパス弁、圧縮機バイパス弁が開いている場合に圧縮機をバイパスする圧縮機バイパス弁、ならびに、液体ポンプバイパス弁と下流蒸発器コイルとの間に連結される膨張装置を有し、前記冷却システムがさらに、
第１の冷却回路の上流蒸発器コイルおよび下流蒸発器コイル、ならびに第２冷却回路の蒸発器コイルを含むキャビネット内に配置される、蒸発器を備え、
第１の冷却回路の上流蒸発器コイルおよび下流蒸発器コイルは、冷却されるべき空気が最初に第１の冷却回路の上流蒸発器コイルを通って、次に第１の冷却回路の下流蒸発器コイルを通ってシリアルにそれらを横断するように配置され、
第２の冷却回路の蒸発器コイルは、冷却されるべき空気が第２の冷却回路の蒸発器コイルを通って、および第１の冷却回路の上流および下流蒸発器コイルを通ってシリアルに通過するように配置され、
第１および第２の冷却回路は、ポンピング冷媒節約冷却モードおよび直接膨張冷却モードをそれぞれ有し、第１および第２の冷却回路のいずれかが、直接膨張冷却モードでコントローラによって作動される場合には、コントローラは、その冷却回路の圧縮機バイパス弁を閉じた状態でその冷却回路の圧縮機をオンにしておき、その冷却回路の液体ポンプをオフにしておき、その冷却回路の液体ポンプがその冷却回路の液体ポンプバイパス弁を開いた状態でバイパスされるように構成され、その冷却回路がポンピング冷媒節約冷却モードでコントローラによって作動される場合には、コントローラは、その冷却回路の圧縮機をオフにしておき、その冷却回路の圧縮機がその冷却回路の圧縮機バイパス弁を開いた状態でバイパスされ、その冷却回路の液体ポンプバイパス弁を閉じた状態でその冷却回路の液体ポンプをオンにしておくように構成され、
第１の冷却回路がそのポンピング冷媒節約冷却モードでコントローラによって作動される場合には、コントローラは、液体ポンプを上流蒸発器コイルに連結する制御弁を開いておくように構成され、冷媒が、開いた制御弁を通して液体ポンプから上流蒸発器コイルに流れ、また膨張装置を通して液体ポンプから下流蒸発器コイルに流れ、第１の冷却回路がその直接膨張冷却モードでコントローラによって作動される場合には、コントローラは、制御弁を閉じておくように構成され、冷媒が、第１の冷媒回路のバイパスされた液体ポンプの周りに、および膨張装置を通して下流蒸発器コイルにのみ流れ、上流蒸発器コイルには流れない、冷却システム。
【請求項２】
第１、第２および第３の動作モードを有し、コントローラが、その第１、第２および第３の動作モードで冷却システムを動作させるように構成され、コントローラが、
ポンピング冷媒節約冷却のみが冷却を提供するために使用されるように第１の動作モードで、
ポンピング冷媒節約冷却および直接膨張冷却の両方が冷却を提供するために使用されるように第２の動作モードで、および
直接膨張冷却のみが冷却を提供するために使用されるように第３の動作モードで
冷却回路を作動させるように構成される、請求項１に記載の冷却システム。
【請求項３】
冷却システムがその第１の動作モードで動作している場合に、コントローラが、そのポンピング冷媒節約冷却モードで第１の冷却回路を作動させるように構成され、そのポンピング冷媒節約冷却モードで作動する場合に第２の冷却回路が冷却を提供するために動作可能であるほど外気の温度が低い場合に、必要とされる任意の補助冷却を提供するために第２の冷却回路をそのポンピング冷媒節約冷却モードで作動させるように構成される、請求項２に記載の冷却システム。
【請求項４】
冷却システムが、その第２の動作モードで動作している場合に、コントローラが、第１の冷却回路を全能力でそのポンピング冷媒節約冷却モードで作動させるように構成され、第２の冷却回路を必要とされる任意の補助冷却を提供する能力でその直接膨張冷却モードで作動させるように構成される、請求項２に記載の冷却システム。
【請求項５】
冷却システムが、その第３の動作モードで動作している場合に、コントローラが、それらの直接膨張冷却モードで第１および第２の冷却回路を作動させるように構成される、請求項２に記載の冷却システム。
【請求項６】
コントローラが、
ポンピング冷媒節約が冷却要求を満たすのに十分な冷却を提供することができるほど外気の温度が低い場合に、冷却システムをその第１の動作モードで動作させ、
ポンピング冷媒節約が冷却要求の一部のみを満たすように冷却を提供することができるほどに外気の温度が低い場合に、冷却システムをその第２の動作モードで動作させ、
ポンピング冷媒節約が冷却を提供することができないほど外気の温度が高い場合に、冷却システムをその第３の動作モードで動作させる
ように構成される、請求項２に記載の冷却システム。
【請求項７】
上流蒸発器コイルが、マイクロチャネルコイルであり、下流蒸発器コイルが、フィンアンドチューブコイルである、請求項１に記載の冷却システム。
【請求項８】
第２の冷却回路の蒸発器コイルが、第２の冷却回路の上流蒸発器コイルであり、第２の冷却回路が、第２の冷却回路の下流蒸発器コイルである他の蒸発器コイルを含み、第２の冷却回路がそのポンピング冷媒節約冷却モードでコントローラによって作動される場合に、コントローラが、第２の冷却回路の液体ポンプを第２の冷却回路の上流蒸発器コイルに連結する第２の冷却回路の制御弁を開いておき、冷媒が、第２の冷却回路の開いた制御弁を通して第２の冷却回路の液体ポンプから第２の冷却回路の上流蒸発器コイルに流れ、また、第２の冷却回路の膨張装置を通して第２の蒸発器回路の液体ポンプから第２の冷却回路の下流蒸発器コイルに流れ、第２の冷却回路がその直接膨張冷却モードでコントローラによって作動される場合に、コントローラが、第２の冷却回路の制御弁を閉じておくように構成され、冷媒が、第２の冷媒回路のバイパスされた液体ポンプの周りに、および第２の冷却回路の膨張装置を通して第２の冷却回路の下流蒸発器コイルにのみ流れ、第２の冷却回路の上流蒸発器コイルには流れない、請求項１に記載の冷却システム。
【請求項９】
冷却システムであって、
空気入口および空気出口を有するキャビネットと、
キャビネット内に配置される空気移動ユニットと、
直接膨張冷却モードのみを有する直接膨張冷却回路である第１の冷却回路、ポンピング冷媒節約冷却モードのみを有するポンピング冷媒節約冷却回路である第２の冷却回路、ならびにポンピング冷媒節約冷却モードおよび直接膨張冷却モードの両方を有する第３の冷却回路と、
冷却回路を含む冷却システムを動作させるように構成されるコントローラとを備え、
第１の冷却回路は、蒸発器コイル、凝縮器コイル、圧縮機、および膨張装置を有し、
第２の冷却回路は、蒸発器コイル、凝縮器コイル、および液体ポンプを有し、
第３の冷却回路は、蒸発器コイル、凝縮器コイル、圧縮機、液体ポンプ、液体ポンプバイパス弁が開いている場合に液体ポンプをバイパスする液体ポンプバイパス弁、圧縮機バイパス弁が開いている場合に圧縮機をバイパスする圧縮機バイパス弁、および、液体ポンプバイパス弁と第３の冷却回路の蒸発器コイルとの間に連結される膨張装置を有し、前記冷却システムがさらに、
第１、第２、および第３の冷却回路の蒸発器コイルを含むキャビネット内に配置され、これらの蒸発器コイルは冷却されるべき空気がシリアルにそれらを横断するように配置される、蒸発器と、
冷却空気がシリアルにそれらを横断するように配置される第１、および第２の冷却回路の凝縮器コイルを含む第１の凝縮器と、第３の冷却回路の凝縮器コイルを含む第２の凝縮器とを備え、
第３の冷却回路がその直接膨張冷却モードでコントローラに作動される場合には、コントローラが、圧縮機バイパス弁を閉じた状態で第３の冷却回路の圧縮機をオンにしておき、第３の冷却回路の液体ポンプをオフにしておき、第３の冷却回路の液体ポンプが液体ポンプバイパス弁を開いた状態でバイパスされるように構成され、第３の冷却回路がそのポンピング冷媒節約冷却モードでコントローラによって作動される場合には、コントローラが、第３の冷却回路の圧縮機をオフにしておき、第３の冷却回路の圧縮機が圧縮機バイパス弁を開いた状態でバイパスされ、液体ポンプバイパス弁を閉じた状態で第３の冷却回路の液体ポンプをオンにしておくように構成される、冷却システム。
【請求項１０】
第１、第２および第３の冷却回路の蒸発器コイルが、それらを横切ってシリアルに通過する冷却されるべき空気が最初に第２の冷却回路の蒸発器コイルを横切り、次に第３の冷却回路の蒸発器コイルを横切り、次いで第１の冷却回路の蒸発器コイルを横断するように配置される、請求項９に記載の冷却システム。
【請求項１１】
第２の冷却回路の蒸発器コイルが、マイクロチャネルコイルであり、第１および第３の冷却回路の蒸発器コイルが、フィンアンドチューブコイルである、請求項１０に記載の冷却システム。
【請求項１２】
第１および第２の冷却回路の凝縮器コイルが、冷却空気が最初に第２の冷却回路の凝縮器コイルを通って、次いで第１の冷却回路の凝縮器コイルを通ってシリアルにそれらを横断するように配置される、請求項９に記載の冷却システム。
【請求項１３】
３つの動作モードを有し、コントローラが、その第１、第２、および第３の動作モードで冷却システムを動作させるように構成され、コントローラは、
ポンピング冷媒節約冷却のみが冷却を提供するために使用されるように冷却回路が作動される第１の動作モードで、
ポンピング冷媒節約冷却および直接膨張冷却の両方が冷却を提供するために使用されるように冷却回路が作動される第２の動作モードで、および
直接膨張冷却のみが冷却を提供するために使用されるように冷却回路が作動される第３の動作モードで
冷却回路を作動させるように構成される、請求項９に記載の冷却システム。
【請求項１４】
第２の動作モードが、３つのサブ動作モードを含み、コントローラが、３つのサブ動作モードで冷却回路を作動させるように構成され、コントローラは、
第２の冷却回路が１００パーセントの能力で作動され、第３の冷却回路が１００パーセントの能力でそのポンピング冷媒節約冷却モードで作動され、第１の冷却回路が必要とされる任意の補助冷却を提供する能力で動作される第１のサブ動作モードで、
第２の冷却回路が１００パーセントの能力で作動され、第３の冷却回路がオフであり、第１の冷却回路が必要とされる任意の補助冷却を提供するために動作される第２のサブ動作モードで、および
第２の冷却回路が１００パーセントの能力で作動され、第１および第３の冷却回路の１つまたは両方が、必要とされる任意の補助冷却を提供する集合的能力でそれらの直接膨張冷却モードで動作される、第３のサブ動作モードで
冷却回路を作動させるように構成される、請求項９に記載の冷却システム。
【請求項１５】
冷却システムが第３のサブ動作モードで動作する場合に、コントローラが、必要とされる任意の補助冷却を満たす冷却を提供するために１００パーセントの能力までその直接膨張冷却モードで第１および第３の冷却回路のうちの１つを作動させるように構成され、いったん第１および第３の冷却回路のうちの一方が１００パーセントの能力に達すると、次いで、第１および第３の回路のうちの他方が、必要とされる任意の補助冷却を満たすのに必要とされる任意の追加の冷却を提供する能力でその直接膨張冷却モードでコントローラによって作動される、請求項１４に記載の冷却システム。
【請求項１６】
冷却システムが第３のサブ動作モードで動作される場合に、コントローラが、必要とされる任意の補助冷却を提供する等しい能力でそれらの直接膨張冷却モードで第１および第３の冷却回路を作動させるように構成される、請求項１４に記載の冷却システム。